(57)【特許請求の範囲】
【請求項１】
シート表面に所要の間隔で位置決めマークを設け、固定具により地面に固定するシートにおいて、シート表面に設ける位置決めマークを経時変化で消える部材で形成したことを特徴とするシート。
【請求項２】
消える部材が水溶性の部材であることを特徴とする請求項１に記載のシート。
【請求項３】
消える部材が、色素および光触媒からなる部材であることを特徴とする請求項１に記載のシート。
【発明の詳細な説明】
【技術分野】
【０００１】  本発明は、シートに関する。本発明のシートは雑草の生育を防止するため地上に敷設して利用される防草シートとして好ましい。
【背景技術】
【０００２】  従来、河川の土手、田畑の畦畔、或いは鉄道、道路の盛土法面等では、雑草が繁茂すると病害虫発生などの恐れが生じることから、頻繁に刈り取り、或いは雑草の発育防止を目的に除草剤の散布等が必要とされている。しかし、草の刈り取り作業は多大な労力が必要であり、また除草剤の散布は環境破壊の面から好ましいものでない。【０００３】  このような課題を解決する方法として、防草シートを地面上に敷設することが提案されている。防草シートは市販される際、ロール状に巻回、或いは、つづら折りに折り畳まれている。これを河川の土手、田畑の畦畔等の地面、あるいは、鉄道、道路の盛土法面等に敷設する際は、複数の防草シートを幅方向に並べて固定する方法が採られる。【０００４】  しかしながら、防草シートは長尺であり、場合によっては５０ｍを越える長尺ともなるため、多数の防草シートを隙間無く整然と並べる作業は決して容易ではない。もし、防草シートの途中に隙間や皺が生じると雑草が生えてくる原因となる。【０００５】  このような不具合を避けるために、防草シートを地面に固定する際はピン、杭等の固定具を打ち込むが、その打ち込む位置を決めるための位置決めマークは、予め防草シート表面に等間隔に設け、その位置決めマークに従って固定具を打ち込むことにより防草シートを地面に固定する工程が採用されている。【０００５】  防草シートを地上に固定するには、シートを敷設する地面の地質に応じて必要とする間隔で固定具により固定することが必要なため、目印となる位置決めマークは、予め必要な間隔で防草シート表面に設けている。【０００６】  すなわち、河川の土手、田畑の畦畔等の地面、あるいは、鉄道、道路の盛土法面等は地質によって固定具による固定力が異なるため、固定の間隔によっては風等の影響を受け防草シートが吹き上がったり、捲れ上がったりするため、敷設する地面の地質に応じた間隔で固定する必要がある。【０００７】  この間隔は地質によりかなりの差が生じる。つまり、柔らかい地質の場合はより短い間隔で固定が必要な反面、地質が硬い場合は固定具による固定力が強くなるので、比較的長い間隔で固定しても防草シートを充分に地上へ固定する事が可能となる。また、このような観点から、防草シートに設ける位置決めマークは、種々の敷設面の地質に広く対応できるように、より短い間隔で設けることで汎用性を持たせている。【０００８】  防草シート表面に位置決めマークを設ける方法としては、所定間隔で切り込みを入れる方法や、表面に色彩の異なる延伸糸を織り込む方法、またマークを印刷する方法等が提案されている。【０００９】  これらの方法により防草シート表面に位置決めマークを設ける際は、防草シートを色々な敷設面の地質に対応可能な汎用性を持たせるために、固定具による固定力が弱い地質でも固定ができるような短い間隔で位置決めマークを設けておくことが好ましい。しかし、その半面、短い間隔で位置決めマークを設けると、固定具による固定力の高い地質の地面へ敷設する場合は、長い間隔で固定すれば足りるので、位置決めマーク全てに固定具は使用しない。そのため、防草シートの敷設後、固定具を使用しなかった位置決めマークが残る事となる。【００１０】  固定具���使用しなかった位置決めマークが防草シート上に残ると、防草シート表面に切り込みを入れたものの場合は、切り込み部から雨などが防草シートの下に浸み込むと共に、切り込み部から差し込む日光により雑草が生えてくる原因となる。さらに固定具で固定されていない切り込み部に敷設時の張力が作用する結果、機械的強度が低下して破れなどの原因となる問題が生じる。【００１１】  また防草シート表面に色彩の異なる延伸糸を織り込んだ位置決めマークを設けたものでは、その製造工程が複雑となる。また長い間隔で位置決め固定した場合は、固定具と固定具の間に位置決めマークが残ることとなり、敷設後に位置決めマークが目立って、敷設後の美観を損ねるといった問題が生じる。【００１２】  位置決めマークを印刷する方法は、色彩の異なる延伸糸を織り込む方法に比べると製造は容易な反面、色彩の異なる延伸糸を織り込んだ場合と同様に、長い間隔で固定した場合は敷設後に位置決めマークが残るため、位置決めマークが目立って美観を損ねるといった問題は残ることとなる。特に河川の土手等に防草シートを敷設する工事は公共事業が多く、工事完了後の美観は重要な要素となり無視することはできない。
【先行技術文献】
【特許文献】
【００１３】
【特許文献１】  特開２００３−５２２５４号公報
【特許文献２】  特開２００４−１１３１０１号公報
【発明の概要】
【発明が解決しようとする課題】
【００１４】    本発明は、以上のような従来の欠点に鑑み、シートを敷設した後に、使用されなかった位置決めマークにより美観を損なう事のないシートを提供する事を目的としている。
【課題を解決するための手段】
【００１５】  上記課題は、シートに設けた位置決めマークを自然環境で溶出或いは脱色する材料で形成することにより解決される。【００１６】  請求項１の発明は、シート表面に所要の間隔で位置決めマークを設け、固定具により地面に固定するシートにおいて、シート表面に設ける位置決めマークを経時変化で消える部材で形成したことを特徴とする。【００１７】  請求項２の発明は、消える部材が水溶性の部材であることを特徴とする。【００１８】  請求項３の発明は、消える部材が、色素および光触媒からなる部材であることを特徴とする
【発明の効果】
【００１９】  請求項１の発明では、シート表面に設ける位置決めマークを経時変化で消える材料で形成したので、シートを敷設後、固定具の位置決めに用いられなかった位置決めマークは、経時変化で消えるため、シート表面に不要な位置決めマークが残ることなく美観を損ねる事がない。【００２０】  請求項２の発明では、シート表面に設ける位置決めマークを水溶性の部材で形成したので、シートを敷設後、固定具の位置決めに用いられなかった位置决めマークは、位置決めマークが水溶性であることから、自然環境における雨により溶出するため、シート表面に不要な位置決めマークが残ることなく美観を損ねる事がない。【００２１】  請求項３の発明では、シート表面に設ける位置決めマークを色素および光触媒からなる部材で形成したので、シートを敷設後、固定具による固定に用いられなかった位置決めマークは、位置決めマーク材料に含まれる光触媒の効果により、色素の分解が促進され、位置決めマーク材料自体の自然分解によりシート表面に不要な位置決めマークが残らないので美観を損ねる事がない。
【図面の簡単な説明】
【００２２】
【図１】  シート表面に位置決めマークが設けられた状態を表した図である。
【図２】  シートを地面へ敷設する状態を表した図である。
【図３】  シートを地面に固定具で固定する様子を表した図面である。
【発明を実施するための形態】
【００２３】  以下、本発明の形態を図面に基づいて説明する。
【００２４】  図１において、シート１の幅方向の両端となる端部４には、地面に複数のシート１を敷設する際に、シート１とシート１の端部４を重ねるための重ね合わせ部３に、その長手方向に沿って位置決めマーク２が形成されている。またシート１の幅方向中央面には、重ね合わせ部３の位置決めマークの２倍の間隔で、位置決めマーク２を長手方向に沿って３列に設けている。
【００２５】  幅方向中央に設ける位置決めマークは、２倍間隔の３列に限定されるものでなく、シート１の幅が広い場合は列数を３列以上に増やしたり、逆にシート１の幅が狭い場合は位置決めマーク２の表示列数を１列だけにしてもよい。
【００２６】  シート１の表面に位置決めマーク２を形成する方法としては、シート１を製造する際、製造ラインにおいて公知の印刷法や転写法を用いて所要の間隔で設けることができる。
【００２７】  位置決めマーク２の間隔は、前述した如く、シート１を固定具で地面に固定する際に風等で捲れ上がらないように固定可能な間隔で設けられているが、敷設する地面の地質によって固定具の固定力が異なるため、最も固定力が弱い地面でも固定できる間隔で設けられる。本発明においては最低間隔を５０センチとして重ね合わせ部３に形成することにより汎用性を持たせている。
【００２８】  位置決めマーク２の形状としては、丸型、多角形型、方形、楕円型等の任意の形状が選択可能で有るが、敷設工事後に残る位置決めマークの美観に対する影響を考慮して、対角寸法７ミリ程度のものが適当である。
【００２９】  またシート１の表面上に設けた位置決めマーク２の膜厚は、０．０２ミリから１．０ミリ程度が好ましく、更に好ましくは０．０５ミリから０．１ミリである。位置決めマーク２の膜厚が厚すぎると、雨による溶出が進みにくいため位置決めマーク２の消失に要する時間が長くなる。逆に位置決めマーク２の膜厚が薄すぎると、シート１の敷設前にシート１の摩擦等により位置決めマーク２が消えてしまい、固定具５を打ち込む際の位置が不明瞭になるため、これらの問題を生じない膜厚として、前記の膜厚となるように位置決めマーク２を設けることが好ましい。
【００３０】  シート１を敷設する地面の地質によっては、一般的な地質より固定力の弱い地面もあるため、そのような地面への対応が必要な場合は、特殊な地面向けに位置決めマーク２の間隔をより短い間隔で設けたものを準備する事で対応できる。
【００３１】  シートを地面へ敷設する工程としては、図２に示すように、予め位置決めマークを設けて巻回した５０メートル程度の長さのシート１を、敷設する地面上で敷設方向に沿って展開し載置する。次に同様に巻回された別のシート１を準備し、シート１の幅方向端部４に設けられた重ね合わせ部３同士が重なるように展開する。次に図３に示すように、重ね合わせ部３に設けられた位置決めマーク２に固定具５を打ち込み固定する事でシート１を地面に固定する。敷設する地面の幅方向長さに応じて、複数のシート１を地面に重ねて展開する事により地面全体を覆うように敷設する。シート１を地面に固定する固定具５としては、杭や固定ピン等を使用することができる。
【００３２】  シート１を地面に固定する際に使用する位置決めマーク２は、敷設する地面の地質に応じて、固定力の弱い柔らかい地質の場合は最も短い位置決めマーク２の間隔でシート１を固定具５で地面に打ち込む事により固定する。また地質が硬く固定力が強い地質の場合は、位置決めマーク２全てに固定具５を打ち込むのではなく、位置決めマーク２を一つおき、又は２つおきに固定具を打ち込む事によりシート１を敷設する際の固定作業を減らす事ができる。
【００３３】  消える部材としては、水溶性の部材や、色素および光触媒からなる部材が含まれる。
水溶性の部材としては、水溶性材料であれば制限なく、染料系、顔料系の色素材料が含まれ、たとえば、絵具（株式会社サクラクレパス社のサクラ「マット水彩（登録商標）」）、ポスターカラー等が挙げられる。
【００３４】  色素および光触媒からなる部材のうち、色素としては、染料系、顔料系の色素材料が含まれる。また、光触媒としては、酸化チタン微粒子、酸化亜鉛微粒子が含まれる。
色素および光触媒からなる部材は、色素および光触媒を含有すればその形態に制限はない。
【実施例１】
【００３５】  本実施例では、位置決めマーク２の水溶性材料として、株式会社サクラクレパス社のサクラ「マット水彩（登録商標）」の白色を１重量部に対し、水１重量部を溶媒として、重量比１：１で混合し、位置決めマーク用材料を準備し、公知の印刷法によりシート１の表面に塗布して位置決めマーク２を形成した（膜厚０．１ミリメートル）。当該材料は、シート１が遮光性を高めるため濃暗色材料（ダークグリーン）を用いている事から、視認性を良くするために白色の材料を選択して使用している。【００３６】  位置決めマーク２の間隔は、シート１の重ね合わせ部３の中央に、長手方向に沿って５０センチ間隔で形成すると共に、シート１の幅寸法２メートルに対して、幅方向に５０センチ間隔で、また長手方向に１メートル間隔で、３列の位置決めマーク２を重ね合わせ部３に設けた位置決めマーク２と平行になるように塗布して形成した。【００３７】  位置決めマーク２は、速乾性の材料を選択していると共に、印刷後の乾燥が完了した時点で巻回できるように、シート製造装置の搬送速度を調整しているが、熱風等を使用すれば乾燥時間を短縮する事ができる。【００３８】  上記のように位置決めマーク２を形成したシート１を地面に敷設したところ、降雨量により左右されるが、３回程度の降雨により、位置決め固定に使用されなかった位置決めマーク２は、シート１の表面から流出して、位置決めマーク２が目立つ事による違和感で美観を損ねることがなくなった。【００３９】  このように位置決めマーク２に用いる材料を水溶性材料で形成した事により、自然環境における数回の降雨で位置決めマーク２が雨で溶けて目立つことを防止できる。また、施工後の自然降雨を待つことなく、シート１の表面を手作業で水洗いし位置決めマーク２を流出させても良い。また、降雨量が台風時のように多い場合は１回の降雨で位置決めマーク２が流出する反面、春雨程度の極めて少ない降雨量の場合は６回程度の降雨がなければ目立たない程度まで流出しない場合も有る。【００４０】  上記実施例では、位置決めマーク２用の材料の一例を示したが、上記材料に限定されるものではなく、水溶性材料であれば染料系、顔料系等のインキ類を含め種々の材料が選択できることはもちろんである。【００４１】  また、水溶性であることのほかに、シート１の色に合わせ、視認性が高まる色の材料を選択することが好ましい。更に印刷性を向上させるために、流動性や乾燥性に優れた材料を選択することが更に好ましい。更に、位置決めマーク２は微量であるため流出による環境への影響は極めて少ないが、流出しても環境に影響が少ない材料を選択することがより好ましい。
【実施例２】
【００４２】  本実施例では、位置決めマーク２の水溶性材料として、株式会社サクラクレパス社のサクラ「マット水彩（登録商標）」の白色０．３重量部、水１重量部、酸化チタン０．３重量部を均一混合して位置決めマーク用材料を準備し、公知の印刷法によりシート１の表面に塗布して位置決めマーク２を形成した（膜厚０．０５ミリメートル）。当該材料は、シート１が遮光性を高めるため濃暗色材料（茶色）を用いている事から、視認性を良くするために白色の材料を選択して使用している。【００４３】  位置決めマーク２の間隔は、シート１の重ね合わせ部３の中央に、長手方向に沿って５０センチ間隔で形成すると共に、シート１の幅寸法２メートルに対して、幅方向に５０センチ間隔で、また長手方向に１メートル間隔で、３列の位置決めマーク２を重ね合わせ部３に設けた位置決めマーク２と平行になるように塗布して形成した。【００４４】  位置決めマーク２は、速乾性の材料を選択していると共に、印刷後の乾燥が完了した時点で巻回できるように、シート製造装置の搬送速度を調整しているが、熱風等を使用すれば乾燥時間を短縮する事ができる。【００４５】  上記のように位置決めマーク２を形成したシート１を地面に敷設したところ、天候などにより左右されるが、晴天日の３日間程度で、位置決め固定に使用されなかった位置決めマーク２は消色して、位置決めマーク２が目立つ事による違和感で美観を損ねることがなくなった。
【符号の説明】
【００４６】１  シート
２  位置決めマーク
３  重ね合わせ部
４  シート端部
５  固定具
【図１】
0005401643.tif 000002
【図２】
0005401643.tif 000003
【図３】
0005401643.tif 000004